(57)【要約】【課題】他の発話者によって代名詞が発話された場合でも、その内容が何であるかを認識することができる会議支援システム、会議支援方法、会議支援装置のプログラム、および端末のプログラムを提供することを目的とする。【解決手段】会議支援システムは、会議の参加者が使用する端末と、会議支援装置と、を有する会議支援システムであって、会議支援装置は、発言内容を取得する取得部と、発言内容のテキスト情報に代名詞が含まれる場合に、代名詞に対応する言葉を推定する文脈認証部と、テキスト情報と、推定された代名詞に対応する言葉と、を端末に送信する通信部と、を備え、端末は、テキスト情報と、代名詞に対応する言葉を表示する表示部、を備える。【選択図】図１
2018170743.tif 000002
【特許請求の範囲】
【請求項１】
会議の参加者が使用する端末と、会議支援装置と、を有する会議支援システムであって、
前記会議支援装置は、
発言内容を取得する取得部と、
前記発言内容のテキスト情報に代名詞が含まれる場合に、前記代名詞に対応する言葉を推定する文脈認証部と、
前記テキスト情報と、推定された前記代名詞に対応する言葉と、を前記端末に送信する通信部と、を備え、
前記端末は、
前記テキスト情報と、前記代名詞に対応する言葉を表示する表示部、を備える、会議支援システム。
【請求項２】
前記会議支援装置の前記文脈認証部は、
前記発言内容のテキスト情報に代名詞が含まれる場合に、前記テキスト情報において前記代名詞の表示を変更する、請求項１に記載の会議支援システム。
【請求項３】
前記会議支援装置の前記取得部は、前記発言内容が音声情報であるかテキスト情報であるか判別し、
前記会議支援装置は、前記音声情報を認識してテキスト情報に変換する音声認識部、を備える、請求項１または請求項２に記載の会議支援システム。
【請求項４】
前記会議支援装置の前記文脈認証部は、前記代名詞に対してスコア付けを行い、前記スコアに基づいて代名詞の内容を推定する、請求項１から請求項３のいずれか１項に記載の会議支援システム。
【請求項５】
前記端末は、代名詞の内容を表示させるための表示領域を備える、請求項１から請求項４のいずれか１項に記載の会議支援システム。
【請求項６】
前記表示領域は、吹出表示である、請求項５に記載の会議支援システム。
【請求項７】
前記端末は、前記代名詞の表示色を他の言葉の表示色と異ならせて、前記代名詞の部分が選択されたとき、前記会議支援装置が送信した前記代名詞に対応する言葉を表示し、
前記会議支援装置の通信部は、前記端末によって前記代名詞の部分が選択されたとき、前記代名詞に対応する言葉を前記端末に送信する、請求項１から請求項６のいずれか１項に記載の会議支援システム。
【請求項８】
会議の参加者が使用する端末と、会議支援装置と、を有する会議支援システムにおける会議支援方法であって、
前記会議支援装置の取得部が、発言内容を取得する取得手順と、
前記会議支援装置の文脈認証部が、前記発言内容のテキスト情報に代名詞が含まれるか否か判定し、含まれる場合に、前記代名詞に対応する言葉を推定する文脈認証手順と、
前記会議支援装置の通信部が、前記テキスト情報と、推定された前記代名詞に対応する言葉と、を前記端末に送信する通信手順と、
前記端末の表示部が、前記会議支援装置が送信した前記テキスト情報と、前記代名詞に対応する言葉を表示する表示手順と、
を含む会議支援方法。
【請求項９】
会議の参加者が使用する端末と、会議支援装置と、を有する会議支援システムにおける前記会議支援装置のコンピュータに、
発言内容を取得するステップと、
前記発言内容のテキスト情報に代名詞が含まれるか否か判定するステップと、
前記代名詞が含まれる場合に、前記代名詞に対応する言葉を推定するステップと、
前記テキスト情報を前記端末に送信するステップと、
前記端末によって、前記代名詞の部分が選択されたとき、前記代名詞に対応する言葉を前記端末に送信するステップと、
を実行させる会議支援装置のプログラム。
【請求項１０】
会議の参加者が使用する端末と、会議支援装置と、を有する会議支援システムにおける前記端末のコンピュータに、
前記会議支援装置が送信した会議の参加者の発話内容のテキスト情報を、前記発話内容に含まれる代名詞の表示色を他の言葉の表示色と異ならせて表示するステップと、
前記代名詞の部分が選択されたとき、選択されたことを示す情報を前記会議支援装置へ送信するステップと、
前記会議支援装置が、前記選択されたことを示す情報に対する応答として送信した前記代名詞に対応する言葉を表示するステップと、
を実行させる端末のプログラム。
【発明の詳細な説明】
【技術分野】
【０００１】
本発明は、会議支援システム、会議支援方法、会議支援装置のプログラム、および端末のプログラムに関する。
【背景技術】
【０００２】
複数人が会議をする場合において、各発言者の発話内容をテキスト化して、発話内容をテキスト化して各利用者が所有する再生装置に表示することが提案されている（例えば特許文献１参照）。なお、特許文献１に記載の技術では、発話を話題毎に音声メモとして録音し、議事録作成者が、録音された音声メモを再生してテキスト化を行う。そして、特許文献１に記載の技術では、作成したテキストを他のテキストと関連付けて構造化して議事録を作成し、作成した議事録を再生装置で表示する。
【先行技術文献】
【特許文献】
【０００３】
【特許文献１】特開平８−１９４４９２号公報
【発明の概要】
【発明が解決しようとする課題】
【０００４】
実際の会話では、「あれ」「これ」などの代名詞が使われることがある。しかしながら、特許文献１に記載の技術等の従来技術において、音声をそのままテキスト化した場合は、「あれ」「これ」がどれに相当するかが分からなくなるという問題があった。
【０００５】
本発明は、上記の問題点に鑑みてなされたものであって、他の発話者によって代名詞が発話された場合でも、その内容が何であるかを認識することができる会議支援システム、会議支援方法、会議支援装置のプログラム、および端末のプログラムを提供することを目的とする。
【課題を解決するための手段】
【０００６】
（１）上記目的を達成するため、本発明の一態様に係る会議支援システム１は、会議の参加者が使用する端末２０と、会議支援装置３０と、を有する会議支援システムであって、前記会議支援装置は、発言内容を取得する取得部３０１と、前記発言内容のテキスト情報に代名詞が含まれる場合に、前記代名詞に対応する言葉を推定する文脈認証部（テキスト変換部３０３、係り受け解析部３０４）と、前記テキスト情報と、推定された前記代名詞に対応する言葉と、を前記端末に送信する通信部３０７と、を備え、前記端末は、前記テキスト情報と、前記代名詞に対応する言葉を表示する表示部２０３、を備える。
【０００７】
（２）また、本発明の一態様に係る会議支援システムにおいて、前記会議支援装置の前記文脈認証部は、前記発言内容のテキスト情報に代名詞が含まれる場合に、前記テキスト情報において前記代名詞の表示を変更するようにしてもよい。
【０００８】
（３）また、本発明の一態様に係る会議支援システムにおいて、前記会議支援装置の前記取得部は、前記発言内容が音声情報であるかテキスト情報であるか判別し、前記会議支援装置は、前記音声情報を認識してテキスト情報に変換する音声認識部、を備えるようにしてもよい。
【０００９】
（４）また、本発明の一態様に係る会議支援システムにおいて、前記会議支援装置の前記文脈認証部は、前記代名詞に対してスコア付けを行い、前記スコアに基づいて代名詞の内容を推定するようにしてもよい。
【００１０】
（５）また、本発明の一態様に係る会議支援システムにおいて、前記端末は、代名詞の内容を表示させるための表示領域を備えるようにしてもよい。
【００１１】
（６）また、本発明の一態様に係る会議支援システムにおいて、前記表示領域は、吹出表示であるようにしてもよい。
【００１２】
（７）また、本発明の一態様に係る会議支援システムにおいて、前記端末は、前記代名詞の表示色を他の言葉の表示色と異ならせて、前記代名詞の部分が選択されたとき、前記会議支援装置が送信した前記代名詞に対応する言葉を表示し、前記会議支援装置の通信部は、前記端末によって前記代名詞の部分が選択されたとき、前記代名詞に対応する言葉を前記端末に送信するようにしてもよい。
【００１３】
（８）上記目的を達成するため、本発明の一態様に係る会議支援方法は、会議の参加者が使用する端末と、会議支援装置と、を有する会議支援システムにおける会議支援方法であって、前記会議支援装置の取得部が、発言内容を取得する取得手順と、前記会議支援装置の文脈認証部が、前記発言内容のテキスト情報に代名詞が含まれるか否か判定し、含まれる場合に、前記代名詞に対応する言葉を推定する文脈認証手順と、前記会議支援装置の通信部が、前記テキスト情報と、推定された前記代名詞に対応する言葉と、を前記端末に送信する通信手順と、前記端末の表示部が、前記会議支援装置が送信した前記テキスト情報と、前記代名詞に対応する言葉を表示する表示手順と、を含む。
【００１４】
（９）上記目的を達成するため、本発明の一態様に係る会議支援装置のプログラムは、会議の参加者が使用する端末と、会議支援装置と、を有する会議支援システムにおける前記会議支援装置のコンピュータに、発言内容を取得するステップと、前記発言内容のテキスト情報に代名詞が含まれるか否か判定するステップと、前記代名詞が含まれる場合に、前記代名詞に対応する言葉を推定するステップと、前記テキスト情報を前記端末に送信するステップと、前記端末によって、前記代名詞の部分が選択されたとき、前記代名詞に対応する言葉を前記端末に送信するステップと、を実行させる。
【００１５】
（１０）上記目的を達成するため、本発明の一態様に係る端末のプログラムは、会議の参加者が使用する端末と、会議支援装置と、を有する会議支援システムにおける前記端末のコンピュータに、前記会議支援装置が送信した会議の参加者の発話内容のテキスト情報を、前記発話内容に含まれる代名詞の表示色を他の言葉の表示色と異ならせて表示するステップと、前記代名詞の部分が選択されたとき、選択されたことを示す情報を前記会議支援装置へ送信するステップと、前記会議支援装置が、前記選択されたことを示す情報に対する応答として送信した前記代名詞に対応する言葉を表示するステップと、を実行させる。
【発明の効果】
【００１６】
（１）、（８）、（９）、（１０）によれば、代名詞「これ」「あれ」等の代名詞が発言された場合でも、会議の参加者が代名詞の内容が何であるかを認識することができるので、会議に参加しやすくなる。また、（１）、（８）、（９）、（１０）によれば、難聴や発話が不自由な参加者であっても、代名詞の内容が何であるかを認識することができるので、会議に参加しやすくなる。
また、（２）によれば、代名詞の表示を他のコメントの表示と異なるように表示するようにしたので、代名詞が発話に含まれていることを理解しやすくなる。
また、（３）によれば、会議の参加者の発言内容が発話であってもテキストであっても、発言に代名詞「これ」「あれ」等の代名詞が発言された場合に、会議の参加者が代名詞の内容が何であるかを認識することができるので、会議に参加しやすくなる。
また、（４）によれば、スコアを用いて代名詞に対応する言葉を推定するので、代名詞の特定精度を向上させることができる。
また、（５）、代名詞の内容を表示させるための表示領域を備えたので、代名詞の内容を参加者が理解しやすくなる。
また、（６）によれば、参加者が、吹出し表示により代名詞の内容を理解しやすくなる。
また、（７）によれば、代名詞の部分の色を他のコメントの色と異ならせて、その部分をタッチすると前記代名詞の内容が表示されるようにしたので、参加者が、代名詞の内容を理解しやすくなる。
【図面の簡単な説明】
【００１７】
【図１】第１実施形態に係る会議システムの構成例を示すブロック図である。
【図２】第１実施形態に係る会議例を示す図である。
【図３】第１実施形態に係る解体解析、係り受け解析、形態素解析、および代名詞推定の例を示す図である。
【図４】第１実施形態に係る端末の表示部上に表示される画像の例を示す図である。
【図５】第１実施形態に係る会議支援システムの処理手順例のシーケンス図である。
【図６】本実施形態に係る会議支援装置の処理手順例を示すフロチャートである。
【発明を実施するための形態】
【００１８】
以下、本発明の実施の形態について図面を参照しながら説明する。
【００１９】
まず、本実施形態の会議支援システムが使用される状況例を説明する。
本実施形態の会議支援システムは、２人以上が参加して行われる会議で用いられる。参加者のうち、発話が不自由な人が会議に参加していてもよい。発話可能な参加者は、参加者毎にマイクロフォンを装着する。また、参加者は、端末（スマートフォン、タブレット端末、パーソナルコンピュータ等）を所持している。会議支援システムは、参加者の発話した音声信号に対して音声認識、テキスト化して、各自の端末にテキストを表示させる。また、会議支援システムは、テキスト化した中に代名詞がある場合、その発話以前の発話の解析を行って、代名詞に該当する言葉を推定する。端末は、利用者の操作に応じて、代名詞に該当する言葉を、代名詞に対応付けて表示させる。
【００２０】
［第１実施形態］
図１は、本実施形態に係る会議支援システム１の構成例を示すブロック図である。
まず、会議支援システム１の構成について説明する。
図１に示すように、会議支援システム１は、入力装置１０、端末２０、会議支援装置３０、音響モデル・辞書ＤＢ４０、および議事録・音声ログ記憶部５０を備える。また、端末２０は、端末２０−１、端末２０−２、・・・を備える。端末２０−１、端末２０−２のうち１つを特定しない場合は、端末２０という。
【００２１】
入力装置１０は、入力部１１−１、入力部１１−２、入力部１１−３、・・・を備える。入力部１１−１、入力部１１−２、入力部１１−３、・・・のうち１つを特定しない場合は、入力部１１という。
端末２０は、操作部２０１、処理部２０２、表示部２０３、および通信部２０４を備える。
会議支援装置３０は、取得部３０１、音声認識部３０２、テキスト変換部３０３（音声認識部）、係り受け解析部３０４、テキスト修正部３０５（文脈認証部）、議事録作成部３０６、通信部３０７、認証部３０８、操作部３０９、処理部３１０、および表示部３１１を備える。
【００２２】
入力装置１０と会議支援装置３０とは、有線または無線によって接続されている。端末２０と会議支援装置３０とは、有線または無線によって接続されている。
【００２３】
まず、入力装置１０について説明する。
入力装置１０は、利用者が発話した音声信号を会議支援装置３０に出力する。なお、入力装置１０は、マイクロフォンアレイであってもよい。この場合、入力装置１０は、それぞれ異なる位置に配置されたＰ個のマイクロフォンを有する。そして、入力装置１０は、収音した音からＰチャネル（Ｐは、２以上の整数）の音響信号を生成し、生成したＰチャネルの音響信号を会議支援装置３０に出力する。
【００２４】
入力部１１は、マイクロフォンである。入力部１１は、利用者の音声信号を収音し、収音した音声信号をアナログ信号からデジタル信号に変換して、デジタル信号に変換した音声信号を会議支援装置３０に出力する。なお、入力部１１は、アナログ信号の音声信号を会議支援装置３０に出力するようにしてもよい。なお、入力部１１は、音声信号を、有線のコードやケーブルを介して、会議支援装置３０に出力するようにしてもよく、無線で会議支援装置３０に送信するようにしてもよい。
【００２５】
次に、端末２０について説明する。
端末２０は、例えばスマートフォン、タブレット端末、パーソナルコンピュータ等である。端末２０は、音声出力部、モーションセンサー、ＧＰＳ（Ｇｌｏｂａｌ  Ｐｏｓｉｔｉｏｎｉｎｇ  Ｓｙｓｔｅｍ；全地球測位システム）等を備えていてもよい。
【００２６】
操作部２０１は、利用者の操作を検出し、検出した結果を処理部２０２に出力する。操作部２０１は、例えば表示部２０３上に設けられたタッチパネル式のセンサー、またはキーボードである。
【００２７】
処理部２０２は、操作部２０１が出力した出力した操作結果に応じて送信情報を生成し、生成した送信情報を通信部２０４に出力する。送信情報は、会議への参加希望を示す参加要請、会議からの退出希望を示す退出要請、他の参加者が発話したテキストに含まれる代名詞を選択したことを示す指示情報、過去の議事録の送信を要請する指示情報等のうちの１つである。なお、送信情報には、端末２０の識別情報が含まれている。
処理部２０２は、通信部２０４が出力するテキスト情報を取得し、取得したテキスト情報を画像データに変換し、変換した画像データを表示部２０３に出力する。なお、表示部２０３上に表示される画像については、図４を用いて後述する。
【００２８】
表示部２０３は、処理部２０２が出力した画像データを表示する。表示部２０３は、例えば液晶表示装置、有機ＥＬ（エレクトロルミネッセンス）表示装置、電子インク表示装置等である。
【００２９】
通信部２０４は、テキスト情報または議事録の情報を会議支援装置３０から受信し、受信した受信情報を処理部２０２に出力する。通信部２０４は、処理部２０２が出力した指示情報を会議支援装置３０に送信する。
【００３０】
次に、音響モデル・辞書ＤＢ４０について説明する。
音響モデル・辞書ＤＢ４０には、例えば音響モデル、言語モデル、単語辞書等が格納されている。音響モデルとは、音の特徴量に基づくモデルであり、言語モデルとは、単語とその並び方の情報のモデルである。また、単語辞書とは、多数の語彙による辞書であり、例えば大語彙単語辞書である。なお、会議支援装置３０は、音声認識辞書１３に格納されていない単語等を、音響モデル・辞書ＤＢ４０に格納して更新するようにしてもよい。また、音響モデル・辞書ＤＢ４０が格納する言語モデルにおいて、技術用語を示すフラグが関連付けられている。なお、技術用語とは、例えば、規格名、方式名、専門用語等である。また、音響モデル・辞書ＤＢ４０には、技術用語に対する説明が辞書に格納されている。
【００３１】
次に、議事録・音声ログ記憶部５０について説明する。
議事録・音声ログ記憶部５０は、議事録（含む音声信号）を記憶する。議事録・音声ログ記憶部５０は、代名詞に対応する言葉を記憶する。代名詞に対応する言葉については、後述する。
【００３２】
次に、会議支援装置３０について説明する。
会議支援装置３０は、例えばパーソナルコンピュータ、サーバ、スマートフォン、タブレット端末等のうちのいずれかである。なお、会議支援装置３０は、入力装置１０がマイクロフォンアレイの場合、音源定位部、音源分離部、および音源同定部をさらに備える。会議支援装置３０は、参加者によって発話された音声信号を、例えば所定の期間毎に音声認識してテキスト化する。そして、会議支援装置３０は、テキスト化した発話内容のテキスト情報を、参加者の端末２０それぞれに送信する。会議支援装置３０は、参加者が端末２０を操作して、発話に含まれる代名詞を選択した場合、選択された代名詞に対応する言葉を含む修正されたテキスト情報を、少なくとも代名詞を選択した端末２０に送信する。会議支援装置３０は、端末２０と入力部１１との対応関係を記憶している。
【００３３】
取得部３０１は、入力部１１が出力する音声信号を取得し、取得した音声信号を音声認識部３０２に出力する。なお、取得した音声信号がアナログ信号の場合、取得部３０１は、アナログ信号をデジタル信号に変換し、デジタル信号に変換した音声信号を音声認識部３０２に出力する。
【００３４】
音声認識部３０２は、入力部１１が複数の場合、入力部１１を使用する話者毎に音声認識を行う。
音声認識部３０２は、取得部３０１が出力する音声信号を取得する。音声認識部３０２は、取得部３０１が出力した音声信号から発話区間の音声信号を検出する。発話区間の検出は、例えば所定のしきい値以上の音声信号を発話区間として検出する。なお、音声認識部３０２は、発話区間の検出を周知の他の手法を用いて行ってもよい。音声認識部３０２は、検出した発話区間の音声信号に対して、音響モデル・辞書ＤＢ４０を参照して、周知の手法を用いて音声認識を行う。なお、音声認識部３０２は、例えば特開２０１５−６４５５４号公報に開示されている手法等を用いて音声認識を行う。音声認識部３０２は、認識した認識結果と音声信号をテキスト変換部３０３に出力する。なお、音声認識部３０２は、認識結果と音声信号とを、例えば１文毎、または発話句間毎、または話者毎に対応つけて出力する。
【００３５】
テキスト変換部３０３は、音声認識部３０２が出力した認識結果に基づいて、テキストに変換する。テキスト変換部３０３は、変換したテキスト情報と音声信号を係り受け解析部３０４に出力する。なお、テキスト変換部３０３は、「あー」、「えーと」、「えー」、「まあ」等の間投詞を削除してテキストに変換するようにしてもよい。
【００３６】
係り受け解析部３０４は、テキスト変換部３０３が出力したテキスト情報に対して形態素解析と係り受け解析を行う。係り受け解析部３０４は、解析した結果に基づいて、代名詞（人称代名詞、指示代名詞）を抽出する。係り受け解析には、例えば、Ｓｈｉｆｔ−ｒｅｄｕｃｅ法や全域木の手法やチャンク同定の段階適用手法においてＳＶＭ（Ｓｕｐｐｏｒｔ  Ｖｅｃｔｏｒ  Ｍａｃｈｉｎｅｓ）を用いる。係り受け解析部３０４は、解析した結果に基づいて、代名詞に対応する言葉を推定する。なお、代名詞に対応する言葉を推定は、例えば参考文献１の手法等を用いて、代名詞を含む発話前の発話に対してスコア付け行い、そのスコアに基づいて代名詞に対応する言葉の推定を行う。なお、スコアには、例えば参考文献１に記載の総合評価値を用いる。なお、推定した言葉は、例えば単語である。係り受け解析部３０４は、推定した言葉を議事録・音声ログ記憶部５０に記憶させる。係り受け解析部３０４は、係り受け解析した結果のテキスト情報と音声信号をテキスト修正部３０５に出力する。係り受け解析した結果のテキスト情報については、後述する。また、係り受け解析部３０４は、代名詞が抽出された場合、テキスト情報に代名詞を示す情報と代名詞に対応する言葉を含めて、テキスト修正部３０５に出力する。
さらに、係り受け解析部３０４は、形態素解析と係り受け解析を行った後、音響モデル・辞書ＤＢ４０を参照して、技術用語が含まれている場合、その技術用語を抽出する。また、係り受け解析部３０４は、技術用語に対応する説明を音響モデル・辞書ＤＢ４０から読み出す。係り受け解析部３０４は、技術用語を示す情報、技術用語の説明のテキスト情報をテキスト修正部３０５に出力する。なお、係り受け解析部３０４は、技術用語であるか否かを、音響モデル・辞書ＤＢ４０が格納する単語に対応付けられているフラグに基づいて判別する。
【００３７】
参考文献１；“語彙に基づく深層レベルの指示代名詞照応システムＡｎａｓｙｓ／Ｄ”、山崎謙二、村松孝彦、原田実、青山学院大学  理工学部経営工学部、自然言語処理研究会１５３−５、情報処理学会、２００３年１月２０日、ｐ３３−ｐ４０
【００３８】
テキスト修正部３０５は、係り受け解析部３０４が出力するテキスト情報に代名詞を示す情報が含まれている場合、代名詞のフォントの色を修正、フォントの大きさを修正、フォントの種類を修正、フォントに下線等を追加して修正を行ってテキスト情報を修正する。テキスト修正部３０５は、係り受け解析部３０４が出力したテキスト情報、または修正したテキスト情報を処理部３１０に出力する。テキスト修正部３０５は、処理部３１０が修正指示を出力した場合、係り受け解析部３０４が出力するテキスト情報に含まれる代名詞に対応する言葉を、代名詞に対応付けて表示するようにテキスト情報を修正する。テキスト修正部３０５は、係り受け解析部３０４が出力したテキスト情報と音声信号を議事録作成部３０６に出力する。
さらに、テキスト修正部３０５は、係り受け解析部３０４が技術用語を示す情報、技術用語の説明のテキスト情報を出力した場合、技術用語の表示を修正し、修正したテキスト情報を処理部３１０に出力する。テキスト修正部３０５は、処理部３１０が修正指示を出力した場合、係り受け解析部３０４が出力する技術用語の説明のテキスト情報に対応する言葉を、技術用語に対応付けて表示するようにテキスト情報を修正する。
【００３９】
議事録作成部３０６は、テキスト修正部３０５が出力したテキスト情報と音声信号に基づいて、発話者毎に分けて、議事録を作成する。議事録作成部３０６は、作成した議事録と対応する音声信号を議事録・音声ログ記憶部５０に記憶させる。なお、議事録作成部３０６は、「あー」、「えーと」、「えー」、「まあ」等の間投詞を削除して議事録を作成するようにしてもよい。
【００４０】
通信部３０７は、端末２０と情報の送受信を行う。端末２０から受信する情報には、参加要請、音声信号、指示情報（含む他の参加者が発話したテキストに含まれる代名詞を選択したことを示す指示情報）、過去の議事録の送信を要請する指示情報等が含まれている。通信部３０７は、端末２０から受信した参加要請から、例えば、端末２０を識別するための識別情報を抽出し、抽出した識別情報を認証部３０８に出力する。識別情報は、例えば、端末２０のシリアル番号、ＭＡＣアドレス（Ｍｅｄｉａ  Ａｃｃｅｓｓ  Ｃｏｎｔｒｏｌ  ａｄｄｒｅｓｓ）、ＩＰ（Ｉｎｔｅｒｎｅｔ  Ｐｒｏｔｏｃｏｌ）アドレス等である。通信部３０７は、認証部３０８が通信参加を許可する指示を出力した場合、会議に参加要請した端末２０との通信を行う。通信部３０７は、認証部３０８が通信参加を許可しない指示を出力した場合、会議に参加要請した端末２０との通信を行わない。通信部３０７は、受信した情報から指示情報を抽出し、抽出した指示情報を処理部３１０に出力する。通信部３０７は、処理部３１０が出力したテキスト情報または修正済みのテキスト情報を、参加要請のあった端末２０に送信する。通信部３０７は、処理部３１０が出力した議事録の情報を、参加要請のあった端末２０、または、過去の議事録の送信を要請する指示情報を送信した端末２０に送信する。
【００４１】
認証部３０８は、通信部３０７が出力した識別情報を受け取り、通信を許可するか否か判別する。なお、会議支援装置３０は、例えば、会議への参加者が使用する端末２０の登録を受け付け、認証部３０８に登録しておく。認証部３０８は、判別結果に応じて、通信参加を許可する指示か、通信参加を許可しない指示を通信部３０７に出力する。
【００４２】
操作部３０９は、例えばキーボード、マウス、表示部３１１上に設けられているタッチパネルセンサー等である。操作部３０９は、利用者の操作結果を検出して、検出した操作結果を処理部３１０に出力する。
【００４３】
処理部３１０は、通信部３０７が出力した指示情報に応じて、係り受け解析部３０４が解析した結果に基づいて、代名詞に対応する言葉を表示させる修正指示を生成し、生成した修正指示をテキスト修正部３０５に出力する。
また、処理部３１０は、通信部３０７が出力した指示情報に応じて、係り受け解析部３０４が解析した結果に基づいて、技術用語に対応する言葉を表示させる修正指示を生成し、生成した修正指示をテキスト修正部３０５に出力する。
処理部３１０は、テキスト修正部３０５が出力したテキスト情報または修正済みのテキスト情報を通信部３０７に出力する。なお、処理部３１０は、指示情報から識別情報を抽出し、修正済みのテキスト情報を、通信部３０７を介して抽出した識別情報に対応する端末２０に送信する。具体的には、処理部３１０は、代名詞に対応する言葉を含む修正されたテキスト情報を、代名詞を選択した端末２０に送信する。なお、処理部３１０は、代名詞に対応する言葉を含む修正されたテキスト情報を、他の端末２０にも送信するようにしてもよい。
処理部３１０は、過去の議事録の送信を要請する指示情報に応じて議事録・音声ログ記憶部５０から議事録を読み出し、読み出した議事録の情報を通信部３０７に出力する。なお、議事録の情報には、話者を示す情報、係り受け解析した結果を示す情報、テキスト修正部３０５が修正した結果を示す情報等が含まれていてもよい。
【００４４】
表示部３１１は、処理部３１０が出力した画像データを表示する。表示部３１１は、例えば液晶表示装置、有機ＥＬ表示装置、電子インク表示装置等である。
【００４５】
なお、入力装置１０がマイクロフォンアレイの場合、会議支援装置３０は、音源定位部、音源分離部、および音源同定部をさらに備える。この場合、会議支援装置３０は、取得部３０１が取得した音声信号に対して予め生成した伝達関数を用いて音源定位部が音源定位を行う。そして、会議支援装置３０は、音源定位部が定位して結果を用いて話者同定を行う。会議支援装置３０は、音源定位部が定位して結果を用いて、取得部３０１が取得した音声信号に対して音源分離を行う。そして、会議支援装置３０の音声認識部３０２は、分離された音声信号に対して発話区間の検出と音声認識を行う（例えば特開２０１７−９６５７号公報参照）。また、会議支援装置３０は、残響音抑圧処理を行うようにしてもよい。
【００４６】
ここで、以下の説明における会議例を説明する。
図２は、本実施形態に係る会議例を示す図である。図２に示す例では、会議の参加者（第１の参加者ｈ１、第２の参加者ｈ２、第３の参加者ｈ３）が３人である。ここで、第２の参加者ｈ２は、難聴者であるが、発話が可能であるとする。また、第３の参加者ｈ３は、難聴者であり、発話が不自由であるとする。第１の参加者ｈ１は、入力部１１−１（マイクロフォン）を装着している。第２の参加者ｈ２は、入力部１１−２を装着している。第３の参加者ｈ３は、入力部１１を装着していない。また、第２の参加者ｈ２が端末２０−１を使用し、第３の参加者ｈ３が端末２０−２を使用しているとする。
第２の参加者ｈ２と第３の参加者ｈ３それぞれは、端末２０上に表示されるテキスト化された発話内容を見ることで、他の参加者の発話内容を理解する。また、第２の参加者ｈ２と第３の参加者ｈ３それぞれは、参加者の発話に代名詞が含まれている場合、その代名詞に該当する単語を端末上に表示させることで、他の参加者の発話内容を理解することができる。
【００４７】
次に、発話内容の解析例を説明する。
図３は、本実施形態に係る解体解析、係り受け解析、形態素解析、および代名詞推定の例を示す図である。図３の例では、Ａさんが「○○の仕様ですが、△△のようにしたらどうでしょうか？」と発話した後に、Ｂさんが「これについては、・・・です。」と発話した例である。なお、Ａさんが、図３における第１の参加者ｈ１であり、Ｂさんが、第２の参加者ｈ２である。
【００４８】
符号ｇ１が示す領域は、Ａさんの発話を形態素解析した結果である。形態素解析した結果、「○○の仕様ですが、△△のようにしたらどうでしょうか？」は、１７個の形態素を有する。「○○」（ａ１）が名詞であり、「の」（ａ２）が助詞であり、「仕様」（ａ３）が名詞であり、「です」（ａ４）が助動詞であり、「が」（ａ５）が助詞または接続助詞であり、「、」（ａ６）が読点である。「△△」（ａ７）が名詞であり、「の」（ａ８）が助詞であり、「よう」（ａ９）が助動詞語幹であり、「に」（ａ１０）が助詞または格助詞であり、「し」（ａ１１）が動詞であり、「たら」（ａ１２）が助動詞である。「どう」（ａ１３）が助動詞であり、「でしょ」（ａ１４）が助動詞であり、「う」（ａ１５）が助詞であり、「か」（ａ１６）が助詞または副助詞であり、「？」（ａ１７）が記号である。
【００４９】
符号ｇ２が示す領域は、Ｂさんの発話を係り受け解析した結果である。係り受け解析した結果、「○○の仕様ですが、△△のようにしたらどうでしょうか？」は、４つの形態素（形態素ｂ１「○○の」と、形態素ｂ２「仕様ですが、」形態素ｂ３「△△のようにしたら」、形態素ｂ４「どうでしょうか？」）を有している。
また、形態素ｂ１「○○の」は、形態素ｂ２「仕様ですが、」に係る。
【００５０】
符号ｇ５が示す領域は、Ａさんの発話を形態素解析した結果である。形態素解析した結果、「これについては、・・・です。」は、形態素ｃ１「これ」が代名詞であり、形態素ｃ２「について」が助詞または格助詞であり、形態素ｃ３「は」が助詞であり、形態素ｃ４「、」が読点である。
【００５１】
符号ｇ４が示す領域は、Ｂさんの発話に含まれる形態素ｃ１「これ」の代名詞に対応する語彙を推定した結果である。これにより、係り受け解析部３０４は、Ａさんの発話の「○○の仕様」が、代名詞「これ」であると推定する。
【００５２】
次に、端末２０の表示部２０３上に表示される画像の例を、図２と図３を参照しつつ図４を用いて説明する。
図４は、本実施形態に係る端末２０の表示部２０３上に表示される画像の例を示す図である。
【００５３】
まず、画像ｇ１０について説明する。
画像ｇ１０は、Ａさんが発話した後にＢさんが発話したときに、端末２０の表示部２０３上に表示される画像例である。画像ｇ１０には、入室ボタンの画像ｇ１１、退出ボタンの画像ｇ１２、文字入力ボタンの画像ｇ１３、定型文入力ボタンの画像ｇ１４、絵文字入力ボタンの画像ｇ１５、Ａさんの発話のテキストの画像ｇ２１、およびＢさんの発話のテキストの画像ｇ２２が含まれている。
【００５４】
入室ボタンの画像ｇ１１は、参加者が会議に参加するときに選択するボタンの画像である。退出ボタンの画像ｇ１２は、参加者が会議から退出、または会議が終了したときに選択するボタンの画像である。
文字入力ボタンの画像ｇ１３は、参加者が音声による発話ではなく、端末２０の操作部２０１を操作して文字入力するときに選択するボタンの画像である。
定型文入力ボタンの画像ｇ１４は、参加者が音声による発話ではなく、端末２０の操作部２０１を操作して定型分を入力するときに選択するボタンの画像である。なお、このボタンが選択されると、複数の定型文が選択され、参加者は表示された複数の定型文から選択する。なお、定型文とは、例えば、「お早うございます。」、「こんにちは。」、「今日は寒いですね。」、「今日は暑いですね。」、「お手洗いに行ってきてもいいでしょうか？」、「ここで、少し休憩しませんか？」等である。
絵文字入力ボタンの画像ｇ１５は、参加者が音声による発話ではなく、端末２０の操作部２０１を操作して絵文字入力するときに選択するボタンの画像である。
【００５５】
Ａさんの発話のテキストの画像ｇ２１は、Ａさんが発話した音声信号をテキスト変換部３０３と係り受け解析部３０４が処理した後のテキスト情報である。図４に示す例では、Ａさんの発話に代名詞が含まれていない。
Ｂさんの発話のテキストの画像ｇ２２は、Ｂさんが発話した音声信号をテキスト変換部３０３と係り受け解析部３０４が処理した後のテキスト情報である。図４に示す例では、Ｂさんの発話に代名詞が含まれている。このため、テキスト修正部３０５は、代名詞「これ」の表示を修正（フォントの色を変更、フォントのサイズを変更、フォントに下線を追加のうち少なくとも１つ）する。図４に示す例では、画像ｇ２３に示すように、代名詞「これ」に対して、フォントの色を修正し、下線を追加した例である。
【００５６】
次に、画像ｇ３０について説明する。
画像ｇ３０は、画像ｇ１０の画像ｇ２３を選択したときに、端末２０の表示部２０３上に表示される画像例である。
端末２０の処理部２０２は、操作部２０１が操作されて画像ｇ２３が選択されたとき、選択された代名詞「これ」が選択されたことを示す指示情報を会議支援装置３０に送信する。会議支援装置３０のテキスト修正部３０５は、指示情報を受信したことに応じて、代名詞「これ」に対応する言葉「○○の仕様」のテキスト情報を、代名詞「これ」に対応付けて表示するように変更するテキスト修正処理を行う。会議支援装置３０の処理部３１０は、修正したテキスト情報を、端末２０に送信する。端末２０の処理部２０２は、会議支援装置３０から受信した修正されたテキスト情報を画像ｇ３０のように表示する。画像ｇ３１は、代名詞「これ」に対応する言葉であり、画像ｇ３０に示すように代名詞「これ」に対応付けて表示される。なお、図４に示す例では、吹き出しによって表示する例である。代名詞に対応する言葉や前述した技術用語の説明の表示位置（表示領域）は、代名詞の上、代名詞の右上、代名詞の左上、代名詞の上、代名詞の下、代名詞の左下、代名詞の右下等であってもよく、画面内の別枠であってもよい。このように、本実施形態では、代名詞の内容や技術用語の説明を表示させるための表示領域を備えている。
なお、端末２０の処理部２０２は、発話内容を示すテキスト情報の画像ｇ２１とｇ２２に対して、代名詞に対応する言葉の画像ｇ３１を、異なるレイヤーに表示するようにしてもよい。
また、図４に示した例では、表示部２０３上に表示されるボタンの例を説明したが、これらのボタンは物理的なボタン（操作部２０１）であってもよい。
【００５７】
次に、会議支援システム１の処理手順例を説明する。
図５は、本実施形態に係る会議支援システム１の処理手順例のシーケンス図である。
図５に示す例では、図２〜図４を用いて説明した例と同様に、３人の参加者（利用者）が会議に参加している例である。参加者Ａは、会議支援装置３０を利用する参加者であり、入力部１１−１を装着している。参加者Ｂは、端末２０−１を利用する参加者であり、入力部１１−２を装着している。参加者Ｃは、端末２０−２を利用する参加者であり、入力部１１を装着していない。
【００５８】
（ステップＳ１）参加者Ｂは、端末２０−１の操作部２０１を操作し入室ボタンの画像ｇ１１（図４）を選択して、会議に参加する。端末２０−１の処理部２０２は、操作部２０１によって入室ボタンの画像ｇ１１が選択された結果に応じて、参加要請を会議支援装置３０に送信する。
【００５９】
（ステップＳ２）参加者Ｃは、端末２０−２の操作部２０１を操作し入室ボタンの画像ｇ１１を選択して、会議に参加する。端末２０−２の処理部２０２は、操作部２０１によって入室ボタンの画像ｇ１１が選択された結果に応じて、参加要請を会議支援装置３０に送信する。
【００６０】
（ステップＳ３）会議支援装置３０の通信部３０７は、端末２０−１と端末２０−２それぞれが送信した参加要請を受信する。続けて、通信部３０７は、端末２０から受信した参加要請から、例えば、端末２０を識別するための識別情報を抽出する。続けて、会議支援装置３０の認証部３０８は、通信部３０７が出力した識別情報を受け取り、通信を許可するか否かの認証を行う。図５の例では、端末２０−１と端末２０−２の参加を許可した例である。
【００６１】
（ステップＳ４）参加者Ａが発話を行う。入力部１１−１は、音声信号を会議支援装置３０に出力する。
（ステップＳ５）会議支援装置３０の音声認識部３０２は、入力部１１−１が出力した音声信号に対して音声認識処理を行う（音声認識処理）。
【００６２】
（ステップＳ６）会議支援装置３０のテキスト変換部３０３は、音声信号をテキストに変換する（テキスト変換処理）。続けて、会議支援装置３０の係り受け解析部３０４は、テキスト情報に対して係り受け解析を行う。
（ステップＳ７）会議支援装置３０の処理部３１０は、通信部３０７を介してテキスト情報を端末２０−１と端末２０−２それぞれに送信する。
【００６３】
（ステップＳ８）端末２０−２の処理部２０２は、会議支援装置３０が送信したテキスト情報を、通信部２０４を介して受信し、受信したテキスト情報を端末２０−２の表示部２０３上に表示させる。
（ステップＳ９）端末２０−１の処理部２０２は、会議支援装置３０が送信したテキスト情報を、通信部２０４を介して受信し、受信したテキスト情報を端末２０−１の表示部２０３上に表示させる。
【００６４】
（ステップＳ１０）参加者Ｂが発話を行う。入力部１１−２は、音声信号を会議支援装置３０に送信する。
（ステップＳ１１）会議支援装置３０の音声認識部３０２は、入力部１１−２が送信した音声信号に対して音声認識処理を行う。
【００６５】
（ステップＳ１２）会議支援装置３０のテキスト変換部３０３は、音声信号をテキストに変換する。続けて、会議支援装置３０の係り受け解析部３０４は、テキスト情報に対して係り受け解析を行う。
（ステップＳ１３）会議支援装置３０の処理部３１０は、通信部３０７を介してテキスト情報を端末２０−１と端末２０−２それぞれに送信する。
【００６６】
（ステップＳ１４）端末２０−２の処理部２０２は、ステップＳ８と同様に処理を行う。この処理後、端末２０−２の表示部２０３上には、画像ｇ１０（図４）が表示される。
（ステップＳ１５）端末２０−１の処理部２０２は、ステップＳ９と同様に処理を行う。この処理後、端末２０−１の表示部２０３上には、画像ｇ１０（図４）が表示される。
【００６７】
（ステップＳ１６）参加者Ｃは、端末２０−２の操作部２０１を操作して指示を行う。具体的には、図４において、参加者Ｃは、参加者Ｂが発話した「これについては、・・・です。」において、代名詞「これ」の画像ｇ２３を選択する。端末２０−２の処理部２０２は、この操作を検出する。続けて、端末２０−１の処理部２０２は、参加者Ｃの操作に応じて指示情報を会議支援装置３０に送信する。ここで、指示情報には、参加者Ｂさんの発話に含まれる代名詞「これ」が選択されたことを示す情報と端末２０−２の識別情報が含まれている。
【００６８】
（ステップＳ１７）会議支援装置３０のテキスト修正部３０５は、端末２０−１が送信した指示情報に応じてテキスト情報を修正する。具体的には、図４において、テキスト修正部３０５は、参加者Ｂの発話に含まれる代名詞「これ」に対応する言葉「○○の仕様」を代名詞「これ」に関連付けて表示するようにテキスト情報を修正する。続けて、会議支援装置３０の処理部３１０は、通信部３０７を介して修正したテキスト情報を端末２０−１と端末２０−２それぞれに送信する。なお、処理部３１０は、修正したテキスト情報を、指示情報から抽出した識別情報に対応する端末２０−２のみに送信するようにしてもよい。
【００６９】
（ステップＳ１８）端末２０−２の処理部２０２は、会議支援装置３０が送信した修正されたテキスト情報を、通信部２０４を介して受信し、受信した修正されたテキスト情報を端末２０−２の表示部２０３上に表示させる。具体的には、図４において、処理部２０２は、参加者Ｂの発話に含まれる代名詞「これ」に対応する言葉「○○の仕様」を代名詞「これ」に関連付けて表示する。
【００７０】
（ステップＳ１９）端末２０−１の処理部２０２は、会議支援装置３０が送信した修正されたテキスト情報を、通信部２０４を介して受信し、受信した修正されたテキスト情報を端末２０−１の表示部２０３上に表示させる。具体的には、図４において、処理部２０２は、参加者Ｂの発話に含まれる代名詞「これ」に対応する言葉「○○の仕様」を代名詞「これ」に関連付けて表示する。
【００７１】
なお、図５に示した例では、参加者Ａが会議支援装置３０を用いる例を説明したが、これに限られない。会議支援装置３０は、会議支援システム１の管理者が使用し、会議の参加者それぞれが端末２０を利用するようにしてもよい。
【００７２】
次に、会議支援装置３０の処理手順例を説明する。
図６は、本実施形態に係る会議支援装置３０の処理手順例を示すフロチャートである。
【００７３】
（ステップＳ１０１）取得部３０１は、発話された音声信号を取得する。
（ステップＳ１０２）音声認識部３０２は、取得した音声信号に対して音声認識処理を行う。
【００７４】
（ステップＳ１０３）係り受け解析部３０４は、音声認識されテキスト化されたテキスト情報に対して形態素解析と係り受け解析を行って発話解析を行う（文脈認証）。
【００７５】
（ステップＳ１０４）議事録作成部３０６は、テキスト修正部３０５が出力したテキスト情報と音声信号に基づいて、発話者毎に分けて、議事録を作成する。続けて、議事録作成部３０６は、作成した議事録と対応する音声信号を議事録・音声ログ記憶部５０に記憶させる。
【００７６】
（ステップＳ１０５）係り受け解析部３０４は、形態素解析と係り受け解析の結果に基づいて、発話された内容に代名詞が含まれているか否かを判別する（文脈認証）。係り受け解析部３０４は、代名詞が含まれていると判別した場合（ステップＳ１０５；ＹＥＳ）、ステップＳ１０６の処理に進め、代名詞が含まれていないと判別した場合（ステップＳ１０５；ＮＯ）、ステップＳ１０１の処理に戻す。
【００７７】
（ステップＳ１０６）係り受け解析部３０４が解析した結果、発話に代名詞が含まれている場合、テキスト修正部３０５は、テキスト情報に含まれる代名詞の表示を修正（変更）する。代名詞の表示を修正（変更）とは、例えば図４に示した例のように、代名詞のフォントの色を修正、フォントの大きさを修正、フォントの種類を修正、フォントに下線等を追加して修正等である。
【００７８】
（ステップＳ１０７）係り受け解析部３０４は、代名詞を含む発話前の発話に対してスコア付け行い、そのスコアに基づいて代名詞に対応する言葉の推定を行う（文脈認証）。
【００７９】
（ステップＳ１０８）処理部３１０は、通信部３０７が端末２０から指示情報を受信したか否か、すなわち、端末２０の操作部２０１が操作されたか否かを判別する。なお、利用者は、端末２０の操作部２０１を操作して、代名詞の画像ｇ２３（図４）を選択する。処理部３１０は、端末２０の操作部２０１が操作されたと判別した場合（ステップＳ１０８；ＹＥＳ）、ステップＳ１０９の処理に進め、端末２０の操作部２０１が操作されていないと判別した場合（ステップＳ１０８；ＮＯ）、ステップＳ１０８の処理を繰り返す。
【００８０】
（ステップＳ１０９）処理部３１０は、端末２０から受信した指示情報に応じて、代名詞に対応する言葉を表示するように修正したテキスト情報を端末２０へ送信することで、端末２０の表示部２０３上に表示させる。ここで、修正したテキスト情報は、代名詞に対応する言葉のテキスト情報と表示位置を少なくとも含む情報である。なお、処理部３１０は、端末２０が複数の場合、指示情報を送信した端末２０に修正したテキスト情報を送信するようにしてもよく、全ての端末２０に送信するようにしてもよい。なお、処理部３１０は、修正したテキスト情報を、指示情報から抽出した識別情報に対応する端末２０のみに送信するようにしてもよく、全ての端末２０に送信するようにしてもよい。
【００８１】
以上のように、本実施形態では、文脈認証にて、代名詞「これ」「あれ」に相当する部分の言葉を認識するようにした。そして、本実施形態では、例えば吹出し表示を設けて、そこに代名詞「あれ」「これ」に相当する言葉を端末２０の表示部２０３上に表示するようにした。また、本実施形態では、代名詞「あれ」「これ」がテキスト中にある場合には、その部分の色付けを他のテキストと異ならせて端末２０の表示部２０３上に表示（例：赤字）させ、そこをタッチすると「あれ」「これ」に対応する言葉を端末２０の表示部２０３上に表示するようにした。さらに、本実施形態では、登録されている技術用語を認識し、同様に端末２０の表示部２０３上に表示するようにした。
【００８２】
これにより、本実施形態によれば、代名詞「これ」「あれ」等の代名詞が発話された場合でも、会議の参加者が代名詞の内容が何であるかを認識することができるので、会議に参加しやすくなる。これにより、本実施形態によれば、難聴や発話が不自由な参加者であっても、代名詞の内容が何であるかを認識することができるので、会議に参加しやすくなる。
【００８３】
また、本実施形態によれば、スコアを用いて代名詞に対応する言葉を推定するので、代名詞の特定精度を向上させることができる。
また、本実施形態によれば、代名詞の内容を表示させるための表示領域を備えたので、代名詞の内容を参加者が理解しやすくなる。
【００８４】
また、本実施形態によれば、参加者が、吹出し表示により代名詞の内容を理解しやすくなる。
また、本実施形態によれば、代名詞の部分の色を他のコメントの色と異ならせて、その部分をタッチすると前記代名詞の内容が表示されるようにしたので、参加者が、代名詞の内容を理解しやすくなる。
【００８５】
なお、本実施形態では、表示を異なるように修正して、端末側から選択可能な例として、代名詞や技術用語の例を説明したが、これに限られない。例えば、人名、場所名（工場名、事業所名）、会社名等であってもよい。
また、代名詞に対応する言葉の探索は、その代名詞を含む発言の前に発言されたものであればよく、例えば関連する前回や前々回の会議の議事録からも探索するようにしてもよい。この場合、まず、係り受け解析部３０４は、開催中の会議の発話から代名詞に対応する言葉を探索し、所定のスコアの言葉が見つからない場合に、前回の議事録を探索するようにしてもよい。
このように、本実施形態によれば、テキスト翻訳された中にある「あれ」「これ」がどれに相当するかを端末２０上に表示させるようにしたので、聴覚障がい者は、会議の内容を理解することができる。また、本実施形態によれば、発話に技術用語が含まれていた場合であっても、その技術用語の解説を端末２０上に表示させることができるので、聴覚障がい者は、会議についていくことができる。
【００８６】
なお、上述した例では、発話が日本語の場合、日本語にテキスト変換する例を説明したが、テキスト変換部３０３は、周知の翻訳手法を用いて、発話された言語と異なる言語のテキストに翻訳するようにしてもよい。この場合、端末２０それぞれに表示される言語は、端末２０の利用者が選択するようにしてもよい。例えば、端末２０−１の表示部２０３上には、日本語のテキスト情報が表示され、端末２０−２の表示部２０３には、英語のテキスト情報が表示されるようにしてもよい。
【００８７】
［第２実施形態］
第１実施形態では、取得部３０１が取得する信号が音声信号の例を説明したが、取得する情報がテキスト情報であってもよい。この場合について、図１を参照して説明する。
【００８８】
入力部１１は、マイクロフォンまたはキーボード（タッチパネル式のキーボードを含む）である。入力部１１がマイクロフォンの場合、入力部１１は、参加者の音声信号を収音し、収音した音声信号をアナログ信号からデジタル信号に変換して、デジタル信号に変換した音声信号を会議支援装置３０に出力する。入力部１１がキーボードの場合、入力部１１は、参加者の操作を検出し、検出した結果のテキスト情報を会議支援装置３０に出力する。入力部１１がキーボードの場合、入力部１１は、端末２０の操作部２０１であってもよい。なお、入力部１１は、音声信号またはテキスト情報を、有線のコードやケーブルを介して、会議支援装置３０に出力するようにしてもよく、無線で会議支援装置３０に送信するようにしてもよい。入力部１１は、端末２０の操作部２０１の場合、参加者は、例えば図４に示したように、文字入力ボタンの画像ｇ１３、定型文入力ボタンの画像ｇ１４、絵文字入力ボタンの画像ｇ１５を選択して操作する。なお、文字入力ボタンの画像ｇ１３が選択された場合、端末２０の処理部２０２は、表示部２０３上にソフトウェアキーボードの画像を表示する。
【００８９】
取得部３０１は、取得した情報が音声信号であるかテキスト情報であるか判別する。取得部３０１は、テキスト情報であると判別した場合、取得したテキスト情報を音声認識部３０２とテキスト変換部３０３を介して係り受け解析部３０４に出力する。
【００９０】
本実施形態では、このようにテキスト情報が入力された場合であっても、そのテキスト情報を端末２０の表示部２０３上に表示させる。
また、本実施形態では、入力されたテキスト情報に対して形態素解析と係り受け解析、代名詞の検出、技術用語の検出を行い、代名詞や技術用語を修正して端末２０の表示部２０３上に表示させる。
また、本実施形態では、端末２０の操作部２０１が操作され、代名詞や技術用語が選択された場合、代名詞の対応する言葉や、技術用語に対応する技術用語の説明を、表示領域に表示させる。
【００９１】
これにより、本実施形態によれば、入力がテキスト情報であっても、第１実施形態と同様の効果を得ることができる。
【００９２】
なお、本発明における会議支援システム１の全てまたは一部の機能を実現するためのプログラムをコンピュータ読み取り可能な記録媒体に記録して、この記録媒体に記録されたプログラムをコンピュータシステムに読み込ませ、実行することにより会議支援システム１が行う処理の全てまたは一部を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００９３】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【００９４】
１…会議支援システム、１０…入力装置、２０，２０−１，２０−２…端末、３０…会議支援装置、４０…音響モデル・辞書ＤＢ、５０…議事録・音声ログ記憶部、１１−１，１１−２，１１−３…入力部、２０１…操作部、２０２…処理部、２０３…表示部、２０４…通信部、３０１…取得部、３０２…音声認識部、３０３…テキスト変換部、３０４…係り受け解析部、３０５…テキスト修正部、３０６…議事録作成部、３０７…通信部、３０８…認証部、３０９…操作部、３１０…処理部、３１１…表示部
【図１】
2018170743.tif 000003
【図２】
2018170743.tif 000004
【図３】
2018170743.tif 000005
【図４】
2018170743.tif 000006
【図５】
2018170743.tif 000007
【図６】
2018170743.tif 000008